(57)【特許請求の範囲】
【請求項１】
複数のＶｏＩＰ電話システムと、前記複数のＶｏＩＰ電話システムの各々における複数のＶｏＩＰ電話端末と、双方向通信回線網を介して前記複数のＶｏＩＰ電話端末間における電話通信の交換制御を実行するＶｏＩＰネットワーク交換制御システムと、を備えたＶｏＩＰ電話交換制御ネットワークシステムであって、
前記ＶｏＩＰ電話システムの各々は、
発呼の際に交換制御依頼の制御データを生成して前記双方向通信回線網に送出し、受信の際に受け取った交換制御データに対応した交換制御を実行するＶｏＩＰ電話端末・回線収容装置と、
前記ＶｏＩＰ電話端末・回線収容装置に接続されるＶｏＩＰ電話機能を備えた通信端末と、
前記ＶｏＩＰ電話端末・回線収容装置に接続されて通信回線網に対するＩＰルーティングを実行するルータと、を備え、
前記ＶｏＩＰネットワーク交換制御システムは、
ＶｏＩＰ電話システムから受け取った交換制御データによる交換制御依頼に対応する交換制御データを生成して前記ＶｏＩＰ電話システムへ送出するＡＳＰセンタ通信装置と、
前記ＡＳＰセンタ通信装置からの交換制御依頼に係る交換制御データを格納し検索して送出するデータベース装置と、を備え、
前記ＶｏＩＰ電話端末・回線収容装置は、
他のＶｏＩＰ電話システムとの外線を収容し、外線との接続切断を含む交換を行うと共にＶｏＩＰ変換を行う回線収容ユニット・ＶｏＩＰ変換部と、
ドアホンに関する音信号及び外線／内線呼び出し用の異なる周波数音源からの音信号の処理及び動作制御を行うと共に、前記ＶｏＩＰ電話端末からの呼出ベージング音声信号を送出するための外部機器収容ユニット・ＶｏＩＰ変換部と、
複数のＶｏＩＰ電話端末が接続される集線装置と、を備え、
前記交換制御データは、前記複数のＶｏＩＰ電話システムと当該ＶｏＩＰ電話システムにおける個々のＶｏＩＰ電話端末とを個別に識別するための電話番号、ポート番号、コマンド及びステータス情報と、パスワードを含むことを特徴とするＶｏＩＰ電話交換制御ネットワークシステム。
【請求項２】
前記複数のＶｏＩＰ電話システムと前記ＶｏＩＰネットワーク交換制御システは、ＴＣＰ／ＩＰ双方向通信を実行することを特徴とする請求項１に記載のＶｏＩＰ電話交換制御ネットワークシステム。
【請求項３】
前記双方向通信回線網が、ＴＣＰ／ＩＰ環境下の通信回線網であることを特徴とする請求項２に記載のＶｏＩＰ電話交換制御ネットワークシステム。
【請求項４】
前記ＶｏＩＰ電話端末は、ＶｏＩＰ電話通話機能を備えた電話機又はＶｏＩＰ電話通話機能を備えた単体コンピュータである、ことを特徴とする請求項１に記載のＶｏＩＰ電話交換制御ネットワークシステム。
【請求項５】
前記集線装置に接続される移動構内交換通信ネットワークシステムを、さらに備え、
当該移動構内交換通信ネットワークシステムが、
前記集線装置との接続を処理するインタフェース部及び無線送受信部と、
前記無線送受信部に無線区間で収容されるＶｏＩＰ電話通話機能を備えた携帯端末と、
を備えることを特徴とする請求項１に記載のＶｏＩＰ電話交換制御ネットワークシステム。
【発明の詳細な説明】
【０００１】
【発明の属する技術分野】
本発明は、通信回線網、例えば、インターネット回線網上でＶｏＩＰ（Voice over Internet Protocol）電話の交換制御を双方向通信で行うＶｏＩＰ電話制御方法、ＶｏＩＰ電話交換制御ネットワークシステム及びそのプログラムに関する。
【０００２】
【従来の技術】
従来、多数の電話端末や外部装置を外線及び内線で交換接続する制御装置としては、構内交換機（ＰＢＸ）が周知である。
【０００３】
図１５は従来の構内交換機の構成を示すブロック図である。
図１５において、この例の構内交換機ＰＢＸは、各種の外線（ＰＳＴＮ（Public Switched Telephone Network），ＩＳＤＮ（Integrated Services Digital Network），ＤＳＬ（Digital Subscriber Line）を、インターネット高速接続用や接続固定料金及び従量制料金に合わせて選択するために必要となっている。また、このような構内交換機ＰＢＸは、従来より極めて多数の通信端末を使用する企業での発着信（発着呼）の交換制御とともに、多数の通信端末を収容したローカルエリアネットワーク（ＬＡＮ）を、外線に接続するためにも使用されている。
【０００４】
図１５に示す例の構内交換機ＰＢＸにおいて、回線収容ユニット（ＵＮＩＴ）９１は、図示しない局線トランクごとにＰＳＴＮ，ＩＳＤＮ，ＤＳＬが接続されている。また、内線収容ユニット９２には、図示しない内線トランクごとに、複数の通信端末９３（例えば、ＶｏＩＰキー多機能電話機／従来の多機能ボタン電話機に対応、及びパーソナルコンピュータ、ファクシミリ装置等）が接続されている。
【０００５】
さらに、外部機器収容ユニット９４には、例えばドアホン等の通信機器、通信端末９３の外線／内線呼出用の異なる周波数音源（Ｅｘｔ  Ｓｏｕｎｄ）及び、図示しない拡声装置を通じて人の音声呼出や業務連絡を行うためのページング音声信号を送出するためのページング音声装置（Ｅｘｔ  Ｐａｇｅ）などに接続されている。
【０００６】
前記の回線収容ユニット９１、内線収容ユニット９２及び外部機器収容ユニット９４のそれぞれは、スイッチ回路９５に接続され、また、回線収容ユニット９１、内線収容ユニット９２、外部機器収容ユニット９４及びスイッチ回路９５がマイクロプロセッサ（ＭＰＵ）９６に接続されている。
【０００７】
次に、この構成の動作について説明する。
【０００８】
図１５に示す構成では、いずれかの通信端末９３からの内線間接続又は外線との接続の要求信号を、マイクロプロセッサ９６が内線収容ユニット９２のインタフェース処理を通じて取り込む。内線間接続要求の場合には、マイクロプロセッサ９６がスイッチ回路９５に対して内線交換（接続切り替え）制御を実行し、かつ、内線収容ユニット９２を制御して、二つの通信端末９３間の内線接続を行う。
【０００９】
また、いずれかの通信端末９３からの外線接続要求をマイクロプロセッサ９６が内線収容ユニット９２のインタフェース処理を通じて取り込むと、マイクロプロセッサ９６はスイッチ回路９５に対して外線交換制御を実行し、かつ、内線収容ユニット９２及び外部機器収容ユニット９４を制御して、外線接続要求を行った通信端末９３と外線との接続を行う。
【００１０】
これらの動作において、例えば、内線呼び出し、回線着呼呼び出し、ドアホンなどのそれぞれの音信号を外部機器収容ユニット９４からマイクロプロセッサ９６の制御で取り込みスイッチ回路９５を通じて内線収容ユニット９２に供給している。また、マイクロプロセッサ９６は、通信端末９３からの呼出音声信号を内線収容ユニット９２から図示しない拡声装置に送出する制御も実行する。
【００１１】
なお、構内交換機では、音声通話に対する内線及び外線の発着信（発着呼）の交換接続とともに、多機能化が図られている。例えば、代表電話番号やダイヤルイン接続の交換、時間外外線発信の停止等とともに、付加システムとしてのファクシミリ蓄積交換システムやボイスメールシステムを収容した多機能化が図られている。
【００１２】
ところで、このうような交換制御として、その音声通話ではインターネットによるＶｏＩＰ電話方式がある。例えば、特開平１１−２８４７２６号公報「第１及び第２の音声端末間の音声接続を達成する方法及びシステム」が知られている。この公報の開示技術では、電子メールなど送受信を行うコンピュータと音声通話を行う場合に、コンピュータ情報を使用して自動的に回線接続を行うものである。この場合、企業などでは構内交換機を用いてコンピュータから音声通話の回線接続を実行する。
【００１３】
【発明が解決しようとする課題】
このような上記従来例では、構内交換機単独で多種の回線の交換制御や多機能化システム（付加システム）に対する制御をマイクロプロセッサが実行している。換言すれば、企業の事業所ごとに、比較的、装置規模及び処理規模が大きい構内交換機を設置する必要があり、コストが嵩むという欠点がある。
【００１４】
本発明は、このような従来の技術における課題を解決するものであり、簡素化された構内交換装置（ＶｏＩＰ電話システム）と通信回線網上に収容されたＶｏＩＰネットワーク交換制御システムとの間の双方向通信による交換制御が実行できるようになり、その構内交換装置の規模及び処理規模が縮小されてコスト低減が可能なるＶｏＩＰ電話制御方法、ＶｏＩＰ電話交換制御ネットワークシステム及びそのプログラムの提供を目的とする。
【００１５】
【課題を解決するための手段】
上記課題を解決するために、本発明は、複数のＶｏＩＰ電話システムと、前記複数のＶｏＩＰ電話システムの各々における複数のＶｏＩＰ電話端末と、双方向通信回線網を介して前記複数のＶｏＩＰ電話端末間における電話通信の交換制御を実行するＶｏＩＰネットワーク交換制御システムと、を備えたＶｏＩＰ電話交換制御ネットワークシステムであって、前記ＶｏＩＰ電話システムの各々は、発呼の際に交換制御依頼の制御データを生成して前記双方向通信回線網に送出し、受信の際に受け取った交換制御データに対応した交換制御を実行するＶｏＩＰ電話端末・回線収容装置と、前記ＶｏＩＰ電話端末・回線収容装置に接続されるＶｏＩＰ電話機能を備えた通信端末と、前記ＶｏＩＰ電話端末・回線収容装置に接続されて通信回線網に対するＩＰルーティングを実行するルータと、を備え、前記ＶｏＩＰネットワーク交換制御システムは、ＶｏＩＰ電話システムから受け取った交換制御データによる交換制御依頼に対応する交換制御データを生成して前記ＶｏＩＰ電話システムへ送出するＡＳＰセンタ通信装置と、前記ＡＳＰセンタ通信装置からの交換制御依頼に係る交換制御データを格納し検索して送出するデータベース装置と、を備え、前記ＶｏＩＰ電話端末・回線収容装置は、他のＶｏＩＰ電話システムとの外線を収容し、外線との接続切断を含む交換を行うと共にＶｏＩＰ変換を行う回線収容ユニット・ＶｏＩＰ変換部と、ドアホンに関する音信号及び外線／内線呼び出し用の異なる周波数音源からの音信号の処理及び動作制御を行うと共に、前記ＶｏＩＰ電話端末からの呼出ベージング音声信号を送出するための外部機器収容ユニット・ＶｏＩＰ変換部と、複数のＶｏＩＰ電話端末が接続される集線装置と、を備え、前記交換制御データは、前記複数のＶｏＩＰ電話システムと当該ＶｏＩＰ電話システムにおける個々のＶｏＩＰ電話端末とを個別に識別するための電話番号、ポート番号、コマンド及びステータス情報と、パスワードを含むことを特徴とするＶｏＩＰ電話交換制御ネットワークシステムを提供するものである。
【００３１】
本発明のシステムは、前記ＶｏＩＰネットワーク交換制御システム及びＶｏＩＰ電話システムが、ＴＣＰ／ＩＰ双方向通信を実行することを特徴としている。
【００３２】
本発明のシステムは、前記通信回線網が、ＴＣＰ／ＩＰ環境下の通信回線網であることを特徴としている。
【００３３】
本発明のシステムは、前記ＶｏＩＰ電話機能を備えた通信端末が、ＶｏＩＰ電話通話機能を備えた電話機、又はＶｏＩＰ電話通話機能を備えた単体コンピュータであることを特徴としている。
【００３４】
本発明のシステムは、前記集線装置に接続される移動構内交換通信ネットワークシステムを、さらに有し、この移動構内交換通信ネットワークシステムが、前記集線装置との接続を処理するインタフェース部及び無線送受信部と、この無線送受信部に無線区間で収容されるＶｏＩＰ電話通話機能を備えた携帯端末とからなることを特徴としている。
【００３７】
このような本発明は、従来の構内交換機に対応する簡素化されたＶｏＩＰ電話システムと通信回線網上に収容されたＶｏＩＰネットワーク交換制御システムとの間の双方向通信によって、ＶｏＩＰ電話（音声通話及び画像データ）における内線発信及び外線発信などの交換制御が実行される。
【００３８】
この結果、例えば、企業の事業所ごとなどに設置する構内交換装置の規模及び処理規模が縮小されてコスト低減が可能となる。
【００３９】
【発明の実施の形態】
次に、本発明のＶｏＩＰ電話制御方法、ＶｏＩＰ電話交換制御ネットワークシステム及びそのプログラムの実施の形態を図面を参照して詳細に説明する。
【００４０】
第１実施形態
図１は本発明の第１実施形態における概略構成を示すブロック図である。
図１において、この例では、ＶｏＩＰネットワーク交換制御システム１及び多数のＶｏＩＰ電話システム２（Ａ，Ｂ，Ｃ）が、ＰＳＴＮ，ＩＳＤＮのインターネット（ｉｎｔｅｒｎｅｔ）回線網３（請求項の通信回線網、ＴＣＰ／ＩＰ環境下の通信回線網に対応）に接続されている。
【００４１】
インターネット回線網３には、音声パケットと連続音声信号の相互変換プロトコルを実行するＶｏＩＰゲートウェイ（ＧＷ）４が接続され、かつ、ＶｏＩＰ・ＧＷ４にＰＳＴＮ又はＩＳＤＮの回線網５が接続されている。この回線網５に多数の電話機６が収容されている。また、インターネット回線網３には、ＶｏＩＰによる電話通話が可能なインターネット電話機能を備えたパーソナルコンピュータ７（請求項におけるＶｏＩＰ電話通話機能を備えた単体コンピュータに対応する）が接続されている。
【００４２】
なお、図１では一つのＶｏＩＰネットワーク交換制御システム１を設けているが、ＶｏＩＰ電話システム２の設置数が多い場合、すなわち、データ処理量（トラフィック量）を必要に応じて追加する。
【００４３】
図２は、図１中のＶｏＩＰネットワーク交換制御システム１の構成を示す外観斜視図である。
図２において、ＶｏＩＰネットワーク交換制御システム１は、インターネット網３上で業務用ソフトウェアなどのアプリケーションを貸し出すＡＳＰ（Application Service Provider）と同様の処理で交換制御を実行するＡＳＰセンタ通信装置１０を有している。
【００４４】
このＡＳＰセンタ通信装置１０には、データベース装置１１，１２，１３が接続されている。このデータベース装置１１〜１３のそれぞれは、ＶｏＩＰ電話システム２（Ａ〜Ｃ）のそれぞれから要求された汎用的な交換制御を実行し、かつ、個々のＶｏＩＰ電話システム２（Ａ〜Ｃ）からの交換制御やインターネット回線網３における接続制御用データを格納している。
【００４５】
また、図１において、ＶｏＩＰネットワーク交換制御システム１は、一般的に図示しない現用系及び予備系の二台が配置される。また、図２に示すＶｏＩＰネットワーク交換制御システム１には、ＡＳＰセンタ通信装置１０に現用系での回線障害発生時の切り替え設定とともに、各種の保守やバージョンアップや機能変更を行うための保守ターミナル（パーソナルコンピュータ）１４が接続されている。
【００４６】
図３は、図１中のＡＳＰセンタ通信装置１０の要部構成を示すブロック図である。
図３において、図１中のＡＳＰセンタ通信装置１０は、例えば、この装置の基幹的なコンピュータとして動作し、ＡＳＰによる交換制御プログラムなどを実装したＷｅｂサーバ２１と、分散名前管理システム（ＤＮＳ:Domain Name System）用のＤＮＳサーバ２２と、ＦＴＰ（File Transfer Protocol）ファイル転送用のＦＴＰサーバ２３と、代金決済におけるデータ転送用の暗号化通信プロトコル（ＳＳＬ:Secure Sockets Layer）用のＳＳＬサーバ２４とが設けられている。
【００４７】
ＡＳＰセンタ通信装置１０には、電子メールサーバ２５と、ファクシミリ（ＦＡＸ）サーバ２６と、データベースサーバ２７と、接続装置（例えば、ＤＳＵやルータ）２８とが設けられている。このＬＡＮにデータベース装置１１〜１３及び保守ターミナル１４が収容されている。
【００４８】
また、このようなＡＳＰセンタ通信装置１０には、侵入防止用のファイアウォールアプリケーション実行専用のサーバが設けられる構成も周知である。
【００４９】
なお、このＡＳＰセンタ通信装置１０は、図３に示すＬＡＮ構成に限定されない、例えば、データ処理量によって、単体の小型汎用コンピュータに、前記した各サーバの機能を実装した構成でも同様に機能する。また、マイクロプロセッサ（ＭＰＵ）を中心とした構成によってブートプログラム及びＡＳＰによる交換制御プログラムなどをメモリに記憶した構成でも実施可能である。
【００５０】
また、データベース装置１１〜１３はハードティスク装置やＤ−ＲＡＭやキャッシュメモリ等を用いて実現可能である。
【００５１】
なお、図３に示す構成では、以下の交換制御がＷｅｂサーバ２１の基幹的なコンピュータ制御動作で実行される。なお、その他のサーバは既知の動作を実行するつものであり、以下において、その詳細な動作説明は省略する。
【００５２】
図４はＶｏＩＰ電話システム２の要部構成例を示すブロック図である。
図４において、ＶｏＩＰ電話システム２（Ａ〜Ｃ）は、例えば、企業内の三つの異なる部署に設けたものであり、それぞれにＶｏＩＰ電話端末・回線収容装置４０及び通信端末４１（以降で詳細に説明する。請求項のＶｏＩＰ電話通話機能を備えた電話機に対応）を有している。
【００５３】
ＶｏＩＰ電話端末・回線収容装置４０は、インターネット回線網３に対するルーティングを処理し、かつ、ファイアウォールアプリケーションなどを搭載したルータ４２が設けられ、さらに、ＰＳＴＮ，ＩＳＤＮ，ＤＳＬを図示しない局線トランクごとに接続して収容し、かつ、選択切り替えを行うとともに、ＶｏＩＰ変換を行う回線収容ユニット・ＶｏＩＰ変換部４３が、ルータ４２に接続されている。
【００５４】
また、ＶｏＩＰ電話端末・回線収容装置４０には、ルータ４２と接続された外部機器収容ユニット・ＶｏＩＰ変換部４４が設けられており、この外部機器収容ユニット・ＶｏＩＰ変換部４４には、図示しないインタフェースを通じて、例えば、家庭用の場合におけるドアホン（Ｄｏｏｒ  Ｐｈｏｎｅ）、外線／内線呼び出し用の異なる周波数音源（Ｅｘｔ  Ｓｏｕｎｄ）に接続され、また、外部機器収容ユニット・ＶｏＩＰ変換部４４からの呼出放送ベージング音声信号（Ｅｘｔ
Ｐａｇｅ）を送出している。
【００５５】
さらに、ＶｏＩＰ電話端末・回線収容装置４０には、ルータ４２に、集線装置（ＨＵＢ）４５が接続されており、この集線装置４５に、前記した複数の通信端末４１（例えば、ＶｏＩＰキー多機能電話機／従来の多機能ボタン電話機に対応、Ｌモード電話機及びパーソナルコンピュータ等）が接続されている。
【００５６】
通信端末４１／ＶｏＩＰキー多機能電話機、Ｌモード電話機及びパーソナルコンピュータ及び図１中のパーソナルコンピュータ７におけるＶｏＩＰ音声通話機能は、次の図５に示すような既知の構成で実現可能である。
【００５７】
図５はＶｏＩＰ音声通話機能にかかる構成を示すブロック図である。
図５において、この例は、送受信インタフェース部５０と、符号化・復号化部５１と、音量可変オーディオ部５２と、マイクロコンピュータ５３と、音声通話用のマイクロホン５４ａ及びスピーカ５４ｂと、ブートプログラム及びＶｏＩＰ音声通話制御プログラムを格納したメモリ５５と、ＣＲＴ，ＬＣＤの表示部５６と、操作部（テンキー、機能選択キー）５７等を備えた構成である。
【００５８】
以下、この実施形態の動作について説明する。
【００５９】
図１及び図２に示すＶｏＩＰネットワーク交換制御システム１は、従来の構内交換機における交換制御系を設けていないＶｏＩＰ電話システム２（Ａ〜Ｃ）に対する交換制御を、インターネット回線網３を通じた双方向通信（ＩＴＵ−Ｔ勧告Ｈ．３２４規格）によって実行する。
【００６０】
なお、このＨ．３２４規格では、他のＨ．２６３規格などとの併用をもって、以降で説明するように画像データ通信（テレビ会議、テレビ電話、ファクシミリ通信、ファクシミリ蓄積交換通信）が可能である。また、ボイスメール通信も可能である。
【００６１】
まず、図１の要部の動作及び処理内容について説明する。
（１）ＶｏＩＰネットワーク交換制御システム１
ＶｏＩＰネットワーク交換制御システム１は、格納しているプログラムによって、ＶｏＩＰ電話システム２（Ａ〜Ｃ）ごとの交換制御を双方向通信かつインターネット回線網３を通じた双方向通信で実行する。このＶｏＩＰネットワーク交換制御システム１とＶｏＩＰ電話システム２（Ａ〜Ｃ）との間のインターネット回線網３による双方向通信では、常時接続して即時の交換制御を実行するのが好ましい。
【００６２】
（１ａ）ＡＳＰセンタ通信装置１０の制御
・ＶｏＩＰ電話システム２（Ａ〜Ｃ）のそれぞれの内線交換制御
・ＶｏＩＰ電話システム２（Ａ〜Ｃ）のそれぞれの外線交換制御
・外部機器（ドアホン（Ｄｏｏｒ  Ｐｈｏｎｅ）、通信端末４１の外線／内線呼び出し用や保留音信号を送出する周波数音源（Ｅｘｔ  Ｓｏｕｎｄ）及び、放送用のページング音声信号の送出制御
・ＶｏＩＰ電話システム２（Ａ〜Ｃ）間の内線交換制御
・ＶｏＩＰ電話システム２（Ａ〜Ｃ）間の外線交換制御
・ＶｏＩＰ電話システム２（Ａ〜Ｃ）間の外線・外線交換制御
・パーソナルコンピュータ７からのＶｏＩＰ電話システム２（Ａ〜Ｃ）のそれぞれの内線交換制御
・パーソナルコンピュータ７からのＶｏＩＰ電話システム２（Ａ〜Ｃ）のそれぞれの外線交換制御
・ＶｏＩＰ電話システム２（Ａ〜Ｃ）の通信端末４１からの呼び出しのリモートページング制御
・保留音などのオーディオデジタル混合処理制御
・テレビ会議通信制御（内線、外線、パーソナルコンピュータ７のデジタル信号混合処理）
・通信端末４１（ボタン（キー）電話機）の機能制御
・ファクシミリ画像データなどのデータ蓄積制御
・ボイスメール通信制御
【００６３】
（１ｂ）データベース装置１１〜１３の処理
データベース装置１１〜１３において、データベースエンジン（トラッキング）で読み出されるデータは、例えば、プッシュ型情報配信のフォーマットによって通知するデータ（特に制御データ）を生成している。
【００６４】
（１ｃ）データベース装置１１〜１３の格納情報
・ＶｏＩＰ電話システム２（Ａ〜Ｃ）のそれぞれを含む通信端末４１（ボタン（キー）電話機）の機能情報
・音声劣化などの回線品質などの外線状態情報
・音声劣化などの回線品質などの内線状態情報
・内線や外線のルーティング情報
・システム監視情報
・留守番電話設定情報
・特定コマンドによって特定の内線接続制御を行う情報
【００６５】
（２）ＶｏＩＰ電話システム２（Ａ〜Ｃ）
図４に示すＶｏＩＰ電話システム２（Ａ〜Ｃ）中の回線収容ユニット・ＶｏＩＰ変換部４３は、ＰＳＴＮ，Ｎ・Ｗ−ＩＳＤＮ、ＤＳＬを収容し、発着信、回線異常検出や応答制御を実行する。
【００６６】
また、図４に示すＶｏＩＰ電話システム２（Ａ〜Ｃ）中の外部機器収容ユニット・ＶｏＩＰ変換部４４は、ドアホン（Ｄｏｏｒ  Ｐｈｏｎｅ）の処理、通信端末４１の外線／内線呼び出し用の異なる周波数音源（Ｅｘｔ  Ｓｏｕｎｄ）、及び人の呼び出しや業務連絡のためのページング音声信号（Ｅｘｔ  Ｐａｇｅ）を送出する外部装置の制御、各種外部装置の電源オン・オフ制御を実行する。
【００６７】
（２ａ）回線収容ユニット・ＶｏＩＰ変換部４３の制御・処理
・外線での発信着信衝突制御・処理
・現在の外線内線状態の確認制御・処理（選択信号送出、呼出中、ビジー、着信拒否、網輻輳（網ビジー）、サービス提供などの状態）
・着信に対する接続の応答、回線接続の切断、及び回線異常等の検出通知制御・処理
・外線における着信を検出して通知する制御・処理
・外線発信制御・処理（電話シーケンスにおけるオフフック／発呼信号送出、選択信号（ダイヤル）信号、終話信号送出）
【００６８】
（２ｂ）回線収容ユニット・ＶｏＩＰ変換部４３のデータ処理
・回線種別のデータ（アナログ回線／ＰＳＴＮ，Ｎ・Ｗ−ＩＳＤＮ、ダイヤルパルス／プッシュトーン回線（ＤＰ，ＰＢ）、２線・４線式（２Ｗ・４Ｗ式）
・電話番号（電話番号配置計画における国番号（ＣＣ）＋国内地区番号（ＮＤＣ）＋加入者番号（ＳＮ）
・回線番号（複数回線におけるそれぞれのポート番号）
・ドメイン番号（例えば、「・・・ｘｘｘ．ｃｏ．ｊｐ）
・自装置のホスト名
・ＡＳＰサービストメイン名（又はＩＰアドレス）
【００６９】
（２ｃ）外部機器収容ユニット・ＶｏＩＰ変換部４４の制御
・ページング制御（図示しない拡声装置の電源オンによる音声出力し、デジタル音声データのアナログ変換）
・ドアホン制御（ドアホン着信を検出して通知）
・ドアホン呼出着信の制御
・呼出着信の衝突検出制御（ドアホン呼び出しと着信の衝突検出での通知）
・現在の外線内線状態における制御（選択信号送出、呼び出し中、ビジー、着信拒否、網輻輳（網ビジー）、サービス提供などの状態）
・ドアホン応答（ドアホン音声をデジタルパケット化し又はアナログ音声化）
・ドアホン切断制御
・ページング入力音声の制御（入力オーディオ信号をデジタルパケット化して伝送）
・指示外部装置の制御（電源オン・オフの制御）
・回線異常制御（音声の通信品質劣化などのルーティング制御）
【００７０】
（２ｄ）外部機器収容ユニット・ＶｏＩＰ変換部４４のデータ処理
・種別データ（Ｄｏｏｒ  Ｐｈｏｎｅ，Ｅｘｔ  Ｓｏｕｎｄ，Ｅｘｔ  Ｐａｇｅ）
・電話番号（電話番号配置計画における国番号（ＣＣ）＋国内地区番号（ＮＤＣ）＋加入者番号（ＳＮ）
・回線番号（複数回線におけるそれぞれのポート番号）
・ドメイン番号（例えば、「ｘｘｘ．ｃｏ．ｊｐ」）
・自装置のホスト名
・ＡＳＰサービストメイン名（又はＩＰアドレス）
【００７１】
（３）ＶｏＩＰネットワーク交換制御システム１とＶｏＩＰ電話システム２（Ａ〜Ｃ）とにおける外線及び内線の処理データ
【００７２】
（３ａ）外線交換制御におけるデータ処理
このデータ処理は、発信専用、着信専用、外線転送先、内線転送先、ＶｏＩＰ電話システム２（Ａ〜Ｃ）間転送、自動応答音声蓄積（例えば、留守番電話用／会社業務時間外案内用）、自動応答データ蓄積、自動応答ファクシミリ画像データ蓄積、会議通話、保留種別、未応答タイマー、自動音声応答（留守番電話用／会社業務時間外案内）、音声録音、ホスト名に対するそれぞれのデータ処理がある。
【００７３】
さらに、外線交換制御における処理処理として、収容数、グループ番号（通信端末４１をグループ化して利用する場合）、ネットワークホップ数（ルーティング情報）、デジタル信号混合保留音、料金管理（例えば、通話者個人ごとや、部署ごとの通話課金など）のそれぞれのデータ処理がある。
【００７４】
（３ｂ）内線交換制御におけるデータ処理
このデータ処理では、通信端末４１における設定キー機能定義、内線番号（電子メールアドレスなど）、ＩＰアドレス又は通信端末ホスト名、内線グルーブ番号、外線発着信の許可・不許可、ドアホン発着信の許可・不許可、転送の許可・不許可、保留の許可・不許可、不在、自動転送、リモート設定、ページングの許可・不許可、ＶｏＩＰ電話システム２（Ａ〜Ｃ）間の自動転送・転送先、外線自動転送・転送先、ＶｏＩＰ電話システム２（Ａ〜Ｃ）間の発着信許可・不許可がある。
【００７５】
さらに、内線交換制御におけるデータ処理として、外部装置制御許可・不許可、着信拒否、データ通信、ファクシミリ通信、料金管理（例えば、通話者個人ごとや、部署ごとの通話課金など）がある。
【００７６】
（３ｃ）管理における処理
このデータ処理では、内線状態、外線状態、外部装置状態、課金、通話情報がある。
【００７７】
なお、（３ａ）外線交換制御におけるデータ処理、（３ｂ）内線交換制御におけるデータ処理、（３ｃ）管理における処理は、既知の電話交換（従来から用いられている構内交換機）における慣用的処理であり、その詳細な説明は省略する。
【００７８】
（４）図１中のインターネット回線網３における伝送
インターネット回線網３は、ＶｏＩＰによるパケット伝送を行うものであり、ここには音声パケットと連続音声信号との相互変換をＶｏＩＰ・ＧＷ４で行って、ＰＳＴＮ又はＩＳＤＮの回線網５に収容された電話機６との音声通話を行う。なお、ＶｏＩＰネットワーク交換制御システム１とＶｏＩＰ電話システム２（Ａ〜Ｃ）との間は常時接続による即時の交換制御を実行する。
【００７９】
（５）ＶｏＩＰ電話動作について
ＶｏＩＰ電話動作は、ＩＴＵ−Ｔ勧告Ｈ．３２４に基づいた電話通話をＩＰネットワーク（ここではインターネット回線網３、ＶｏＩＰ・ＧＷ４、回線網５等）を通じて制御データ及び音声信号を符号化・復号化し、かつ、パケット化したＩＰデータグラム伝送を行っている。
【００８０】
この場合のＩＰデータグラムでは、そのフレームのフィールドに、制御データのみを格納したパケット及び音声データのみを格納したパケットを伝送し、又は、制御データ及び音声データを格納したパケットを伝送する。この場合のパケットのフレームは、「電話番号＋ポート番号＋コマンド＋状態＋データ」が基本的なホォーマットである。このパケットがＶｏＩＰで伝送される。
【００８１】
なお、電話番号は、例えば、個々のＶｏＩＰ電話システム２（Ａ〜Ｃ）に対応し、ポート番号はこのシステム（Ａ〜Ｃ）における個々の通信端末４１に対応する。なお、ポート番号は外線や内線を多数収容している場合の回線番号としても用いられる。
【００８２】
次に、図１から図５に示す構成に基づいた全体動作について説明する。
【００８３】
図６は図１の動作を説明するため機能構成を示すブロック図であり、図７は電話通話の伝送シーケンス図である。
図６及び図７において、ＶｏＩＰ電話システム２（Ａ〜Ｃ）は、電話操作（例えば、外線、内線発信、呼び出し、ドアホン着信）のイベント発生を制御データに生成し（図６中のステップＳａ，Ｓｂ）、インターネットプロトコル（ＩＰ）によってインターネット回線網３を通じてＶｏＩＰネットワーク交換制御システム１に送信する（ステップＳｃ）。
【００８４】
ＶｏＩＰネットワーク交換制御システム１では、受信した制御データのフィールドに格納された制御ビットなどから、制御データが通知してきたＶｏＩＰ電話システム２（Ａ〜Ｃ）における電話操作（イベント）をデータベース装置１１〜１３の格納データと照合する（ステップＳｄ，Ｓｅ）。その電話操作における機能に応じた制御データがＶｏＩＰネットワーク交換制御システム１のＡＳＰセンタ通信装置１０からインターネットプロトコル（ＩＰ）によりインターネット回線網３を通じて、制御要求を行ったＶｏＩＰ電話システム２（Ａ〜Ｃ）中のいずれかに送出される。
【００８５】
次に、ＶｏＩＰ電話システム２（Ａ〜Ｃ）は、制御データを受信すると（ステップＳｆ）、制御データに基づいた制御を実行する。例えば、制御データに基づいたＶｏＩＰ電話システム２（Ａ〜Ｃ）中での内線接続や外線接続（回線接続）、ドアホンに関する処理、ページング音声信号の送出などを実行する（ステップＳｇ，Ｓｈ，Ｓｉ）。
【００８６】
なお、ＶｏＩＰ電話システム２（Ａ〜Ｃ）間における交換制御の場合は、ＶｏＩＰネットワーク交換制御システム１が制御データのルーティング情報から対象となるＶｏＩＰ電話システム２（Ａ〜Ｃ）を割り出して、目的のＶｏＩＰ電話システム２（Ａ〜Ｃ）に制御データを送出する。
【００８７】
次に、ＶｏＩＰネットワーク交換制御システム１及びＶｏＩＰ電話システム２（Ａ〜Ｃ）の詳細な制御動作について、外線発信及び内線発信の場合を例にして説明する。
【００８８】
なお、以下の処理手順（ステップ）は一例であり、交換制御の技術的な実現性を損なわない範囲での変更は自由である。
【００８９】
（１）外線発信
図８はＶｏＩＰネットワーク交換制御システム１外線発信通話動作の処理手順を示すフローチャートであり、図９はＶｏＩＰ電話システム２（Ａ〜Ｃ）外線発信通話動作の処理手順を示すフローチャートである。
【００９０】
図８において、図４及び図５に示す通信端末４１（この場合、ＶｏＩＰキー多機能電話機）でのオフフックによる発呼信号を送出し（ステップＳ８０）、次に、外線選択キー（図５中の操作部５７）の押下情報を図５示すＭＰＵ５３が取り込む（ステップＳ８１）。
【００９１】
通信端末４１は、ＶｏＩＰネットワーク交換制御システム１からの発信音信号を確認して（ステップＳ８２）、この後、電話番号が入力される（ステップＳ８３）。そのダイヤルトーン信号が、集線装置４５、ルータ４２及びインターネット回線網３を通じてＶｏＩＰネットワーク交換制御システム１の図２に示すＡＳＰセンタ通信装置１０に送出される（ステップＳ８４）。
【００９２】
図９において、図２及び図３に示すＡＳＰセンタ通信装置１０では、交換制御にかかる待機状態において（ステップＳ１００）、通信端末４１のからの制御データ（例えば、フォーマットデータ「電話番号＋ポート番号＋コマンド＋状態＋データ」）の取り込みを判断する（ステップＳ１０１）。制御データを取り込んだ場合（ステップＳ１０１：Ｙｅｓ）、データベース装置１１（又は１２，１３）の格納データと照合して確認する（ステップＳ１０２）。
【００９３】
この照合は、ＶｏＩＰネットワーク交換制御システム１が、ＶｏＩＰ電話システム２（Ａ〜Ｃ）及び通信端末４１の個々を識別するものであり、例えば、パスワード、電話番号及びポート番号などで識別する。なお、このような通信端末４１の個別的な伝送データは、その情報破壊に対する対策をとるのが望ましい。
【００９４】
破壊として、例えば、盗聴（通信経路上での悪意あるデータ取得）、否認（通信相手先での通信の否定）、改造（通信経路上での第三者による伝送データの改変）、なりすまし（第三者が他人になりすましてデータ伝送を行う）がある。このため、ＳＳＬ、慣用暗号系（conventional encryption system）や公開鍵暗号化系（public key encryption／ＲＳＡ，ＭＨ）による顧客情報などの破壊防止対策をとるのが好ましい。
【００９５】
次に、ＡＳＰセンタ通信装置１０は、データベース装置１１（又は１２，１３）に格納されている、図４に示すＶｏＩＰ電話システム２（Ａ〜Ｃ）の回線収容ユニット・ＶｏＩＰ変換部４３が収容している外線（ＰＳＴＮ又はＩＳＤＮ）の空きを調べる（ステップＳ１０３）。
【００９６】
回線が空きの場合（ステップＳ１０３：Ｙｅｓ）、ＡＳＰセンタ通信装置１０からＶｏＩＰ電話システム２（Ａ〜Ｃ）の回線収容ユニット・ＶｏＩＰ変換部４３に応答信号を送出する（ステップＳ１０４）。なお、回線が空きでない場合（ステップＳ１０３：Ｎｏ）、ＡＳＰセンタ通信装置１０からＶｏＩＰ電話システム２（Ａ〜Ｃ）の回線収容ユニット・ＶｏＩＰ変換部４３にビジーパケットを送出する（ステップＳ１０５）。この場合、交換制御における発呼を行った通信端末４１がオンフックとなる（ステップＳ１０６）。
【００９７】
図８において、通信端末４１が、回線が空き場合の応答信号受け取りを判断する（ステップＳ８５）。図５に示す操作部（テンキー）５７から接続先の電話番号の入力され（ステップＳ８６）、その電話番号データを取り込んだマイクロプロセッサ５３が回線収容ユニット・ＶｏＩＰ変換部４３へ電話番号データ（選択信号）を送出する（ステップＳ８７）。
【００９８】
ここで通話先が図１に示す電話機６の場合、回線収容ユニット・ＶｏＩＰ変換部４３からの選択信号がＰＳＴＮ又はＩＳＤＮの外線（通信網５）に送出され（ステップＳ８８）、この回線網５及びＶｏＩＰ・ＧＷ４を通じて通信端末４１との回線接続が、既知の電話シーケンスによって行われる（ステップＳ８９）。電話シーケンスは、発呼信号、発信音信号、呼出音信号、呼出信号の送受信による通話路閉成、通話路復旧である。
【００９９】
この結果、ＶｏＩＰ・ＧＷ４を通じて電話機６と通信端末４１とのＶｏＩＰパスが形成されて通話が行われる（ステップＳ９０）。この後、電話機６、通信端末４１の一方が送出した終話信号（オンフック信号）を回線収容ユニット・ＶｏＩＰ変換部４３を通じてＡＳＰセンタ通信装置１０に送出する（ステップＳ９１）
図９において、ＡＳＰセンタ通信装置１０では、電話機６、通信端末４１の一方が送出した終話信号（オンフック信号）の受け取りを、回線収容ユニット・ＶｏＩＰ変換部４３を通じてＡＳＰセンタ通信装置１０が受け取りを判断し（ステップＳ１０７）、ＡＳＰセンタ通信装置１０が回線収容ユニット・ＶｏＩＰ変換部４３に終話データを送出する（ステップＳ１０８）。この後、ＡＳＰセンタ通信装置１０が、ＶｏＩＰ電話システム２（Ａ〜Ｃ）の一方が送出した回線切断の取り込みを判断し（ステップＳ１０９）、この回線の空き状態データをデータベース装置１１（１２，１３）に格納する（ステップＳ１１０）。
【０１００】
図８において、ＡＳＰセンタ通信装置１０からの終話信号（オンフック信号）の受け取りを回線収容ユニット・ＶｏＩＰ変換部４３が判断し（ステップＳ９２）、回線収容ユニット・ＶｏＩＰ変換部４３に終話データを送出する（ステップＳ９３）。回線収容ユニット・ＶｏＩＰ変換部４３が回線切断を実行し（ステップＳ９４）、その回線切断データをＡＳＰセンタ通信装置１０に送出する（ステップＳ９５）。
【０１０１】
なお、通話相手先が、ＶｏＩＰによる電話通話が可能なインターネット電話機能を備えたパーソナルコンピュータ７の場合は、インターネット回線網３を通じたパスが設定され、通話が行われ、その終話で回線切断となる。
【０１０２】
なお、ここでは、ＶｏＩＰ電話システム２（Ａ〜Ｃ）からの外線発信について説明したが、パーソナルコンピュータ７から外線発信の場合も、前記同様にして交換制御が実行される。
【０１０３】
（２）内線発信
図１０はＶｏＩＰネットワーク交換制御システム１における内線発信通話動作の処理手順を示すフローチャートであり、図１１はＶｏＩＰ電話システム２（Ａ〜Ｃ）内線発信通話動作の処理手順を示すフローチャートである。
【０１０４】
図１０において、図４及び図５に示す通信端末４１（この場合、ＶｏＩＰキー多機能電話機）でのオフフックによる発呼信号を送出する（ステップＳ１２０）。次に、内線電話番号が入力され（ステップＳ１２１）、ＡＳＰセンタ通信装置１０に送出される（ステップＳ１２２）。
【０１０５】
図１１において、図２及び図３に示すＡＳＰセンタ通信装置１０では、待機状態において（ステップＳ１４０）、通信端末４１からの制御データの取り込みを判断する（ステップＳ１４１）。制御データを取り込んだ場合（ステップＳ１４１：Ｙｅｓ）、内線電話番号の状態を、例えば、データベース装置１１（又は１２，１３）の格納データと照合して確認し、又は内線電話番号の通信端末４１の状態を直接インターネット回線網３を通じて取り込む（ステップＳ１４２）。
【０１０６】
そして、ＡＳＰセンタ通信装置１０が、内線電話番号に対応する通信端末４１の状態（使用中、空き）を調べる（ステップＳ１４３）。その通信端末４１が空きの場合（ステップＳ１４３：Ｙｅｓ）、ＡＳＰセンタ通信装置１０からＶｏＩＰ電話システム２（Ａ〜Ｃ）の内線番号に対応する通信端末４１に呼出信号を送出する（ステップＳ１４４）。なお、発信先の通信端末４１が使用中の場合（ステップＳ１４３：Ｎｏ）、ＡＳＰセンタ通信装置１０からＶｏＩＰ電話システム２（Ａ〜Ｃ）の回線収容ユニット・ＶｏＩＰ変換部４３にビジーパケットを送出する（ステップＳ１４５）。
【０１０７】
図１０において、発信元の内線電話番号の通信端末４１が、発信先の内線電話番号の通信端末４１が空き場合の応答信号受け取りを判断する（ステップＳ１２３）。ここで応答信号受け取りの場合（ステップＳ１２３：Ｙｅｓ）、発信元の内線電話番号の通信端末４１が呼出音信号を受け取る。この時点で発信元と発信先の電話番号の通信端末４１との間にＶｏＩＰパスか設定される（ステップＳ１２４）。この後、発信元と発信先の通信端末４１間の通話が行われる（ステップＳ１２５）。
【０１０８】
図１１において、ＡＳＰセンタ通信装置１０が、通信端末４１への呼出信号を送出した後の応答信号の取り込みを判断する（ステップＳ１４６）。ここで応答信号の取り込みが一定時間のタイマー動作間に出来なかった場合は、発信先通信端末４１の使用者が不在であるとして終了となる（ステップＳ１４７）。また、ステップＳ１４６で応答信号の取り込みが出来た場合（Ｙｅｓ）、ＡＳＰセンタ通信装置１０が発信先通信端末４１に返答信号を送出する（ステップＳ１４８）。なお、この後は、図１０におけるステップＳ１２５による発信元と発信先の通信端末４１間の通話が行われる。
【０１０９】
図１０において、発信元又は発信先の通信端末４１が送出した終話信号（オンフック信号）を、回線収容ユニット・ＶｏＩＰ変換部４３を通じてＡＳＰセンタ通信装置１０に送出する（ステップＳ１２６）。ＡＳＰセンタ通信装置１０からの終話信号（オンフック信号）の受け取りを、図４に示す発信元又は発信先の通信端末４１が判断して（ステップＳ１２７）、回線切断を実行し（ステップＳ１２８）、その回線切断データをＡＳＰセンタ通信装置１０に送出する（ステップＳ１２９）。
【０１１０】
図１１において、ＡＳＰセンタ通信装置１０では、発信元又は発信先の通信端末４１が送出した終話信号（オンフック信号）の受け取りを、回線収容ユニット・ＶｏＩＰ変換部４３を通じてＡＳＰセンタ通信装置１０が判断し（ステップＳ１４９）、ＡＳＰセンタ通信装置１０が回線収容ユニット・ＶｏＩＰ変換部４３に終話データを送出する（ステップＳ１５０）。この後、ＡＳＰセンタ通信装置１０が、ＶｏＩＰ電話システム２（Ａ〜Ｃ）が送出した回線切断信号の取り込みによって、内線接続による発信通話が終了となる（ステップＳ１５１）。
【０１１１】
このようなＶｏＩＰネットワーク交換制御システム１とＶｏＩＰ電話システム２（Ａ〜Ｃ）との間における外線発信及び内線発信とともに、前記した（１ａ）ＡＳＰセンタ通信装置１０の制御における、以降で説明するテレビ会議通信制御、ファクシミリ画像データなどのデータ蓄積制御とともに、ボイスメール通信制御」も実行される。なお、これらの画像データは、ＶｏＩＰ電話データと同様に符号化・復号化（圧縮・伸長）し、そのフレームスがパケット伝送されるものであり、その伝送形態は上記したＶｏＩＰ電話の場合と同様である。
【０１１２】
第２実施形態
図１２は第２実施形態の要部構成を示すブロック図である。
【０１１３】
図１から図９に示す第１実施形態では、固定装置の通信端末４１を例示して説明したが、図１２に示す第２実施形態は、図４に示すＶｏＩＰ電話端末・回線収容装置４０に、構内ＰＨＳ電話システム（請求項の移動構内交換通信ネットワークシステムに対応）を接続している。
【０１１４】
集線装置（ＨＵＢ）４５にインタフェース（Ｉ／Ｆ）部６０及び無線送受信部６１を接続し、この無線送受信部６１は多数の携帯端末６２を無線区間（エアーインタフェース）で収容している。
【０１１５】
この無線送受信部６１及び携帯端末６２からなる構内ＰＨＳ電話システムは、例えば、ＡＲＩＢ−２８規格（ＰＨＳ方式）を適用した既知の移動通信システムである。
【０１１６】
なお、この構内ＰＨＳ電話システムは、ＡＲＩＢ−２７規格（ＰＤＣ方式）や、ＴＩＡ標準ＩＳ９５系／ＩＭＴ−２０００のＮ／Ｗ−ＣＤＭＡ方式でも良く特に限定しない。
【０１１７】
無線送受信部６１は、慣用的な屋外装置（ＰＨＳ）やセル基地局として、その構成は既知である。
【０１１８】
携帯端末６２は、例えば、周波数切替シンセサイザ、受信電界強度（ＲＳＳＩ）検出部を備えた無線送受信部、変調／復調部、時分割多重分離部、コーデック（符号化／復号化）部、マイクロプロセッサ（ＭＰＵ）、外部インタフェース（Ｉ／Ｆ）部、メモリ、キーパッド及び着信表示発光ダイオードや液晶デスプレイなどの表示部、及び送話用マイクロホンと受話用スピーカ、撮像部などを備えた構成が周知である。
【０１１９】
この第２の実施形態の動作について説明する。
【０１２０】
例えば、１タイムスロット／伝送速度３２ｋｂ／ｓや２タイムスロット／伝送速度３２ｋｂ／ｓ×２（６４ｋｂ／ｓ）による音声通話及びデータ通信を行う。無線送受信部６１のサービスエリア内に携帯端末６２が移動すると、制御チャネル（ＣＣＨ）をスキャンしてモニタし、最大受信電界強度の制御チャネルを補足する。この捕捉では、既知の発呼（発信）又は着呼（着信）に対する通信シーケンスが実行される。
【０１２１】
また、携帯端末６２の撮像部で撮影した周囲などの撮像信号を撮像処理部が、例えば、ＭＰＥＧ動画や駒送りで処理し、この撮像データによるテレビ会議を行うことも出来る。
【０１２２】
なお、この他の固定通信ネットワーク（ＶｏＩＰネットワーク交換制御システム１、ＶｏＩＰ電話システム２（Ａ〜Ｃ）及びインターネット回線網３）の動作は上記と同様であり、重複した説明は省略する。
【０１２３】
なお、これまで制御データ及び音声データの伝送によるＶｏＩＰ電話通話を中心にして説明したが、Ｈ．３２４規格では静止画像データ、動画像データの伝送も可能である。ＶｏＩＰ電話システム２（Ａ〜Ｃ）は、ＶｏＩＰネットワーク交換制御システム１を通じた画像通信、例えば、テレビ会議（テレビ電話）、ファクシミリ通信も可能である。また、ボイスメール通信及びファクシミリ蓄積交換通信も可能である。
【０１２４】
この場合、テレビ会議システム制御、ファクシミリ通信制御、ボイスメール通信及びファクシミリ蓄積交換通信制御をＡＳＰセンタ通信装置１０が実行し、これらの画像データを外部機器収容ユニット・ＶｏＩＰ変換部４４が取り込むように、その制御を実行する。
【０１２５】
第３実施形態
図１３は第３実施形態（ファクシミリ通信）にかかる要部構成を示すブロック図である。
【０１２６】
図１３において、この例は、Ｇ３方式とＧ４方式とのファクシミリ変換を示しており、ＶｏＩＰネットワーク交換制御システム１に設けられて、ＶｏＩＰ電話システム（Ａ〜Ｃ）２からのＩＰパケットのファクシミリ信号をアナログ信号に変換するＤ／Ａ変換部７０と、アナログファクシミリ信号を処理するアナログ処理部７１及びＤＳＰで構成されるフィルタ７２とを有している。
【０１２７】
また、ＶｏＩＰ電話システム（Ａ〜Ｃ）２には、ＰＳＴＮに接続され、図示しないモデムに内蔵されるＮＣＵ（Network Control Unit）７３とともに、ＩＳＤＮに接続されるデジタル終端装置（ＤＳＵ）７４とを有している。さらに、ＶｏＩＰ電話システム（Ａ〜Ｃ）２には、ＤＳＵ７４からのデジタルファクシミリ信号に対するＧ４／Ｇ３方式変換を行うＧ４／Ｇ３変換部７５とともに、ＮＣＵ７３及びＧ４／Ｇ３変換部７５からのＧ３方式のファクシミリ信号をＶｏＩＰ変換してＶｏＩＰネットワーク交換制御システム１に転送するためのＶｏＩＰ変換部７６とを有している。
【０１２８】
この第３実施形態の動作について説明する。
【０１２９】
ＶｏＩＰネットワーク交換制御システム１では、ＶｏＩＰ電話システム（Ａ〜Ｃ）２からのＩＰパケットのファクシミリ信号をＤ／Ａ変換部７０がアナログ信号に変換して、アナログ処理部７１がアナログファクシミリ信号を処理し、フィルタ７２を通じてデジタル信号に生成して転送する。
【０１３０】
また、ＶｏＩＰ電話システム（Ａ〜Ｃ）２では、ＤＳＵ７４からのデジタルファクシミリ信号に対するＧ４／Ｇ３方式変換をＧ４／Ｇ３変換部７５が行う。さらに、ＶｏＩＰ変換部７６がＮＣＵ７３及びＧ４／Ｇ３変換部７５からのＧ３方式のファクシミリ信号をＶｏＩＰ変換してＶｏＩＰネットワーク交換制御システム１に転送する。
【０１３１】
第４実施形態
図１４はテレビ会議システムの要部構成例を示すブロック図である。
図１４（ａ）において、この例は、ＶｏＩＰ電話システム（Ａ〜Ｃ）２側に設けられ、離間した場所に配置されるテレビ電話カメラ８１，８２，８３とともに、ＤＳＰを備えたテレビ電話装置８４，８５，８６を有している。さらに、ＶｏＩＰネットワーク交換制御システム１側に設けられて、テレビ電話装置８４〜８６からの画像データを合成するデジタルシグナルプロセッサ８７を有している。
【０１３２】
この第４実施形態の動作について説明する。
【０１３３】
テレビ電話カメラ８１〜８３がそれぞれに撮影した対象（会議参加者ａ，ｂ，ｃ）の画像データを、テレビ電話装置８４〜８６がそれぞれに取り込みＶｏＩＰネットワーク交換制御システム１のデジタルシグナルプロセッサ８７で画像データを図１４（ｂ）に示すように一つの画像に合成する。この会議参加者ａ〜ｃが同時に映しだされた画像データを、テレビ電話装置８４〜８６に転送して、それぞれが映し出す。
【０１３４】
なお、テレビ電話カメラ８１〜８３には、図示しない集音用のマイクロホンを備えており、テレビ電話装置８４〜８６及びデジタルシグナルプロセッサ８７でも、会議音声の伝送処理を行う。例えば、画像データと符号化・復号化音声の同期処理などを行う。
【０１３５】
なお、このようなテレビ会議システムでは、送信側が他人数の会議参加者をグループ分けして撮影し、かつ、複数の画像（撮像）データを合成して伝送し、受信側で分離して写し出すシステム構成もあるが、そのデータ処理は図１４のテレビ会議システムと動作は基本的に同様である。
【０１３６】
なお、上記の実施形態では、ＴＣＰ／ＩＰの双方向通信による公開性を有したインターネットをもって説明したが、同様に動作する閉鎖通信ネットワーク、例えば、イントラネットなどでも、上記と同様の処理が可能である。
【０１３７】
また、上記実施形態では、ＰＳＴＮ，ＩＳＤＮ，ＤＳＬをもって説明したが、他の高速通信ネットワーク（例えば、ギガビット高速データ通信ネットワーク）でも良い。
【０１３８】
【発明の効果】
以上の説明から明らかなように、本発明のＶｏＩＰ電話制御方法、ＶｏＩＰ電話交換制御ネットワークシステム及びそのプログラムは、ＶｏＩＰ電話システムと通信回線網上に収容されたＶｏＩＰネットワーク交換制御システムとの間の双方向通信によって、ＶｏＩＰ電話（音声通話、画像データ）における内線発信及び外線発信などの交換制御を実行している。
【０１３９】
この結果、例えば、企業の事業所ごとなどに設置する構内交換装置の規模及び処理規模が縮小されてコスト低減が可能なるという効果を有している。
【図面の簡単な説明】
【図１】  本発明の第１実施形態における概略構成を示すブロック図である。
【図２】  図１中のＶｏＩＰネットワーク交換制御システムの構成を示す外観斜視図である。
【図３】  図１中のＡＳＰセンタ通信装置の要部構成を示すブロック図である。
【図４】  図１中のＶｏＩＰ電話システムの内部構成を示すブロック図である。
【図５】  実施形態にあってＶｏＩＰ音声通話機能の構成を示すブロック図である。
【図６】  図１の動作を説明するため機能構成を示すブロック図である。
【図７】  実施形態にあって電話通話の伝送シーケンス図である。
【図８】  実施形態にあってＶｏＩＰネットワーク交換制御システム外線発信通話動作の処理手順を示すフローチャートである。
【図９】  実施形態にあってＶｏＩＰ電話システムの外線発信通話動作の処理手順を示すフローチャートである。
【図１０】  実施形態にあってＶｏＩＰネットワーク交換制御システムの内線発信通話動作の処理手順を示すフローチャートである。
【図１１】  実施形態にあってＶｏＩＰ電話システムの内線発信通話動作の処理手順を示すフローチャートである。
【図１２】  第２実施形態の要部構成を示すブロック図である。
【図１３】  第３実施形態の要部構成を示すブロック図である。
【図１４】  第４実施形態の要部構成を示すブロック図である。
【図１５】  従来の構内交換機の構成を示すブロック図である。
【符号の説明】
１  ＶｏＩＰネットワーク交換制御システム
２  ＶｏＩＰ電話システム（Ａ〜Ｃ）
３  インターネット回線網
４  ＶｏＩＰゲートウェイ（ＧＷ）
６  電話機
７  パーソナルコンピュータ
１０  ＡＳＰセンタ通信装置
１１〜１３  データベース装置
２１  Ｗｅｂサーバ
４０  ＶｏＩＰ電話端末・回線収容装置
４１  通信端末
４３  回線収容ユニット・ＶｏＩＰ変換部
４４  外部機器収容ユニット・ＶｏＩＰ変換部
４５  集線装置（ＨＵＢ）
５１  無線送受信部
５２  携帯端末
【図１】
0004849365.tif 000002
【図２】
0004849365.tif 000003
【図３】
0004849365.tif 000004
【図４】
0004849365.tif 000005
【図５】
0004849365.tif 000006
【図６】
0004849365.tif 000007
【図７】
0004849365.tif 000008
【図８】
0004849365.tif 000009
【図９】
0004849365.tif 000010
【図１０】
0004849365.tif 000011
【図１１】
0004849365.tif 000012
【図１２】
0004849365.tif 000013
【図１３】
0004849365.tif 000014
【図１４】
0004849365.tif 000015
【図１５】
0004849365.tif 000016